(57)【要約】【課題】簡単な構造で耐風性に優れた屋根用桟瓦を提供する。【解決方法】上記課題を解決する屋根用桟瓦１０は、桟部１２と尻部１４の角隅部に桟側切欠部１６を形成し、差込部１３と頭部１５の角隅部に差込側切欠部１７を形成し、一の瓦１０Ｂの桟側切欠部１６に斜め上段の瓦１０Ｃの差込側切欠部１７が遊嵌するように葺設するように構成される。さらに、前記桟側切欠部１６の角隅部に第１凹部２２及び第２凹部２３を形成し、該切欠部中に突出する上下一対の受け片２４，２５を前記第２凹部に凸設して両受け片により受け口２６を区画形成し、前記差込側切欠部１７の角隅部に該切欠部中に突出する差込片３２を凸設する。そして葺設時に、一の瓦１０Ｂの受け口２６に斜め上段の瓦１０Ｃの差込片３２が遊嵌するように構成する。【選択図】図５
2007154601.tif 000002
【特許請求の範囲】
【請求項１】
桟部と尻部の角隅部に桟側切欠部を形成し、差込部と頭部の角隅部に差込側切欠部を形成し、一の瓦の桟側切欠部に斜め上段の瓦の差込側切欠部が遊嵌するように葺設する屋根用桟瓦であって、前記桟側切欠部の角隅部に該切欠部中に突出する上下一対の受け片を凸設して両受け片により受け口を区画形成し、前記差込側切欠部の角隅部に該切欠部中に突出する差込片を凸設し、葺設時に一の瓦の受け口に斜め上段の瓦の差込片が遊嵌するように構成したことを特徴とする屋根用桟瓦。  
【請求項２】
桟部と尻部の角隅部に桟側切欠部を形成し、差込部と頭部の角隅部に差込側切欠部を形成し、一の瓦の桟側切欠部に斜め上段の瓦の差込側切欠部が遊嵌するように葺設する屋根用桟瓦であって、前記差込側切欠部の角隅部に該切欠部中に突出する上下一対の受け片を凸設して両受け片により受け口を区画形成し、前記桟側切欠部の角隅部に該切欠部中に突出する差込片を凸設し、葺設時に一の瓦の差込片が斜め上段の瓦の受け口に遊嵌するように構成したことを特徴とする屋根用桟瓦。  
【請求項３】
前記上下一対の受け片のうち上側受け片の内面を瓦本体の表面に略面一に形成し、かつ下側受け片の内面を瓦本体の裏面に略面一に形成したことを特徴とする請求項１又は２に記載の屋根用桟瓦。
【発明の詳細な説明】
【技術分野】
【０００１】
本発明は屋根用桟瓦に関し、より詳しくは強風により瓦がめくり上がってずれるのを防止するための構造を備えた桟瓦に関する。
【背景技術】
【０００２】
この種の桟瓦の一形式として、特開２００４−２７６８６号公報には、桟側切欠部に桟側受け片と桟側凹部を設け、差込側切欠部に差込側凹部と差込側受け片を設け、下段の瓦がめくり上がろうとすると、下段の瓦の桟部と尻部との角隅に設けた桟側受け片が斜め上段の瓦の差込部と頭部との角隅に設けた差込側凹部に係止され、上段の瓦がめくり上がろうとすると、上段の瓦の差込部と頭部との角隅に設けた差込側受け片が斜め下段の瓦の桟部と尻部との角隅に設けた桟側凹部に係止されるように構成した桟瓦が記載されている。
【特許文献１】特開２００４−２７６８６号公報
【発明の開示】
【発明が解決しようとする課題】
【０００３】
上記した従来の桟瓦は桟側切欠部と差込側切欠部のそれぞれに受け片と凹部を設けているため、構造が複雑になり、成形に用いられる金型の製造コストが高くなるだけでなく、運搬時や葺設時に受け片や凹部が破損し易い。
本発明はかかる問題点に鑑み、簡単な構造で耐風性に優れた屋根用桟瓦を提供することを目的とする。
【課題を解決するための手段】
【０００４】
上記目的を達成するため請求項１に記載の発明は、桟部と尻部の角隅部に桟側切欠部を形成し、差込部と頭部の角隅部に差込側切欠部を形成し、一の瓦の桟側切欠部に斜め上段の瓦の差込側切欠部が遊嵌するように葺設する屋根用桟瓦であって、前記桟側切欠部の角隅部に該切欠部中に突出する上下一対の受け片を凸設して両受け片により受け口を区画形成し、前記差込側切欠部の角隅部に該切欠部中に突出する差込片を凸設し、葺設時に一の瓦の受け口に斜め上段の瓦の差込片が遊嵌するように構成したことを特徴とする。  
また、請求項２に記載の発明は、桟部と尻部の角隅部に桟側切欠部を形成し、差込部と頭部の角隅部に差込側切欠部を形成し、一の瓦の桟側切欠部に斜め上段の瓦の差込側切欠部が遊嵌するように葺設する屋根用桟瓦であって、前記差込側切欠部の角隅部に該切欠部中に突出する上下一対の受け片を凸設して両受け片により受け口を区画形成し、前記桟側切欠部の角隅部に該切欠部中に突出する差込片を凸設し、葺設時に一の瓦の差込片が斜め上段の瓦の受け口に遊嵌するように構成したことを特徴とする。  
そして好ましくは、前記上下一対の受け片のうち上側受け片の内面を瓦本体の表面に略面一に形成し、かつ下側受け片の内面を瓦本体の裏面に略面一に形成する。
【発明の効果】
【０００５】
請求項１に記載の発明によれば、下段の瓦がめくり上がろうとすると、上段の瓦の差込片が下段の瓦の下側受け片に当たるので、下段の瓦のめくり上がりが阻止される。一方、上段の瓦がめくり上がろうとすると、上段の瓦の差込片が下段の瓦の上側受け片に当たるので、上段の瓦のめくり上がりが阻止される。
同様にして、請求項２に記載の発明によれば、下段の瓦がめくり上がろうとすると、下段の瓦の差込片が上段の瓦の上側受け片に当たるので、下段の瓦のめくり上がりが阻止される。一方、上段の瓦がめくり上がろうとすると、下段の瓦の差込片が上段の瓦の下側受け片に当たるので、上段の瓦のめくり上がりが阻止される。
【０００６】
しかして、本発明に係る屋根用桟瓦は、桟側切欠部と差込側切欠部のうち、いずれか一箇所に受け口を形成し、他方に差込片を設けるだけの簡単な構造であるため、成形用金型の製造コストを低くでき、かつ運搬時や葺設時に受け口や差込片が破損し難い。
そして、上下一対の受け片のうち上側受け片の内面を瓦本体の表面に略面一に形成し、かつ下側受け片の内面を瓦本体の裏面に略面一に形成することにより、受け口の上下幅寸法を略瓦本体の厚みに等しくできるので、受け口に差込片を遊嵌し易く、葺設作業が容易になって施工能率が向上する。
【発明を実施するための最良の形態】
【０００７】
本発明を実施するための最良の形態である屋根用桟瓦は、桟部と尻部の角隅部に桟側切欠部を形成し、差込部と頭部の角隅部に差込側切欠部を形成し、一の瓦の桟側切欠部に斜め上段の瓦の差込側切欠部が遊嵌するように葺設するように構成される。さらに、前記桟側切欠部の角隅部に該切欠部中に突出する上下一対の受け片を凸設して両受け片により受け口を区画形成し、前記差込側切欠部の角隅部に該切欠部中に突出する差込片を凸設する。そして葺設時に、一の瓦の受け口に斜め上段の瓦の差込片が遊嵌するように構成する。また、前記上下一対の受け片のうち上側受け片の内面を瓦本体の表面に略面一に形成し、かつ下側受け片の内面を瓦本体の裏面に略面一に形成することが好ましい。
【実施例】
【０００８】
以下に本発明の実施例を図面に基づき説明するに、図１及び図２には本発明の一実施例に係る屋根用桟瓦１０が示されている。当該桟瓦は略四角形の本体を有する。瓦本体１１は表面中央部が低くなるように幅方向に湾曲し、一側に断面山形に隆起した桟部１２が形成され、他側に上方へ緩やかに湾曲した差込部１３が形成されている。
【０００９】
瓦本体１１表面の尻部１４の側縁と差込部１３の側縁に沿って水返し１３ａ，１４ａが形成され、両水返し１３ａ，１４ａが尻部１４と差込部１３の角隅部で連続している。尻部１４の水返し１４ａに近接して桟部１２寄りの位置に釘穴が形成されている。
【００１０】
瓦本体１１の尻部１４と桟部１２の角隅部には桟側切欠部１６が形成され、瓦本体１１の頭部１５と差込部１３の角隅部には差込側切欠部１７が形成されている。両切欠部１６，１７はいずれも略四角形を有し、瓦葺設時に下段の瓦の桟側切欠部１６に斜め上段の瓦の差込側切欠部１７が遊嵌するように所要の形状、寸法を備えている。瓦本体１１の裏面の尻部１４端縁には左右２箇所に葺設時屋根の横桟に瓦本体１１を掛止するための突起１８が設けられている。
【００１１】
図３は桟側切欠部１６を瓦本体１１の表面側から見た斜視図である。
桟側切欠部１６を区画形成する横端面２０と縦端面２１のうち、横端面２０は縦端面２１に連続する第１横端面２０ａと、第１横端面２０ａから頭部１５側へ窪んだ第２横端面２０ｂから成る。縦端面２１は尻部１４側縁から第１横端面２０ａへと連なる第１縦端面２１ａと、第１横端面２０ａから第２横端面２０ｂへと連なる第２縦端面２１ｂから成る。そして、第１横端面２０ａと第１縦端面２１ａによって第１凹部２２が区画形成され、第２横端面２０ｂと第２縦端面２１ｂによって第２凹部２３が区画形成されている。
【００１２】
桟側切欠部１６の角隅部、より詳しくは第２縦端面２１ｂと第２横端面２０ｂとの角隅部に上下一対の受け片２４，２５が形成され、第２凹部２３中に突出している。上側受け片２４は略四角形の平面形状を有し、横幅は第２横端面２０ｂの略１／２の長さに形成されている。上側受け片２４の第２凹部２３中に突出する突出横端面は第１横端面２０ａと略面一に形成されている。上側受け片２４の内面は瓦本体１１の表面と略面一となるように形成されているので、上側受け片２４はその厚み分だけ瓦本体１１の表面から盛り上がっている。第１凹部２２を区画形成する第１横端面２０ａの裏面部分は瓦を葺設したとき差込部１３の水返し１３ａが遊嵌する第３凹部２０ｃが形成されている。
【００１３】
下側受け片２５の第２凹部２３中に突出する突出横端面は上側受け片２４と同様に第１横端面２０ａと略面一に形成され、下側受け片２５の横幅は第２横端面２０ｂの略２／３の長さに形成されている。下側受け片２５の内面は瓦本体１１の裏面と略面一に形成されているので、下側受け片２５はその厚み分だけ瓦本体１１の裏面から盛り上がっている。このように上下の受け片は内面がそれぞれ瓦本体１１の表面又は裏面と面一に形成されているので、両受け片２４，２５によって瓦本体１１の厚みに略等しい上下幅寸法を有する受け口２６が区画形成されている。
【００１４】
図４は差込側切欠部１７を瓦本体１１の裏面側から見た斜視図である。
差込側切欠部１７は横端面３０と縦端面３１で区画形成され、角隅部に差込片３２が形成され、該切欠部１７中に突出している。この差込片３２の縦端面３１ａは略瓦本体１１の差込側水返し１３ａの内端面まで延び、該縦端面３１ａの横に差込側水返し１３ａの頭部側端面が露出している。差込片３２の上面は瓦本体１１の表面と略面一に成形され、縦幅は第２凹部２３の縦幅と略等しい長さに成形されている。また、差込片３２は瓦本体１１の厚みに略等しい厚みを有する肉厚基端部３４と、肉厚基端部３４の略１／２の厚みを有する肉薄部３５からなり、肉薄部３５は肉厚基端部３４の略１／２の厚みに成形されている。
【００１５】
本実施例に係る屋根用桟瓦１０の構造は以上の通りであって、次ぎにその葺設手順を図５及び図６に基づき説明する。
屋根の横桟に屋根用桟瓦１０Ａの突起１８を掛止する。次ぎに屋根用桟瓦１０Ａの差込部１３に屋根用桟瓦１０Ｂの桟部１２を被せると共に屋根用桟瓦１０Ｂの突起１８を横桟に掛止して屋根用桟瓦１０Ａの横に屋根用桟瓦１０Ｂを葺設する。続いて、屋根用桟瓦１０Ａの尻部１４に屋根用桟瓦１０Ｃの頭部１５を被せるとともに屋根用桟瓦１０Ｃの突起１８を横桟に掛止する。そのとき屋根用桟瓦１０Ｃの差込側切欠部１７を屋根用桟瓦１０Ａの桟側切欠部１６に遊嵌する。その際図６に示すように、屋根用桟瓦１０Ｃの差込側水返し１３ａを屋根用桟瓦１０Ａの第１凹部２２に遊嵌し、屋根用桟瓦１０Ｃの差込片３２を屋根用桟瓦１０Ａの第２凹部２３に遊嵌すると共に屋根用桟瓦１０Ａの受け口２６に遊嵌する。
【００１６】
本実施例に係る屋根用桟瓦１０は以上説明した手順で葺設するので、下段の屋根用桟瓦１０Ｂがめくり上がろうとすると、上段の屋根用桟瓦１０Ｃの差込片３２が下段の屋根用桟瓦１０Ｂの下側受け片２５に当たる。これにより、下段の屋根用桟瓦１０Ｂのめくり上がりが阻止される。一方、上段の屋根用桟瓦１０Ｃがめくり上がろうとすると、上段の屋根用桟瓦１０Ｃの差込片３２が下段の屋根用桟瓦１０Ｂの上側受け片２４に当たるので、上段の屋根用桟瓦１０Ｃのめくり上がりが阻止される。
【００１７】
本実施例に係る屋根用桟瓦１０は、桟側切欠部１６に受け口２６を設け、差込側切欠部１７に差込片３２を設けるだけの簡単な構造であるため、成形用金型の製造コストを低くでき、かつ運搬時や葺設時に受け口２６や差込片３２が破損し難い。
そして、上下一対の受け片２４，２５のうち上側受け片２４の内面を瓦本体１１の表面に略面一に形成し、かつ下側受け片２５の内面を瓦本体１１の裏面に略面一に形成することにより、受け口２６の上下幅寸法を略瓦本体１１の厚みに等しく形成したので、受け口２６に差込片３２を遊嵌し易く、葺設作業が容易になって施工能率が向上する。
【００１８】
本実施例に係る屋根用桟瓦１０では桟側切欠部１６に受け口２６を設け、差込側切欠部１７に差込片３２を設けたが、逆に桟側切欠部へ差込片を設け、差込側切欠部に受け口を設けても本実施例と同様の作用効果を奏することができる。この場合、下段の瓦がめくり上がろうとすると、下段の瓦の差込片が上段の瓦の上側受け片に当たるので、下段の瓦のめくり上がりが阻止される。一方、上段の瓦がめくり上がろうとすると、下段の瓦の差込片が上段の瓦の下側受け片に当たるので、上段の瓦のめくり上がりが阻止される
【図面の簡単な説明】
【００１９】
【図１】本発明の実施例に係る屋根用桟瓦を示す平面図である。
【図２】同実施例に係る屋根用桟瓦を示す底面図である。
【図３】同実施例に係る屋根用桟瓦の桟側切欠部を瓦本体の表面側からみた斜視図である。
【図４】同実施例に係る屋根用桟瓦の差込側切欠部を瓦本体の裏面側からみた斜視図である。
【図５】同実施例に係る屋根用桟瓦の葺設時の一の瓦と斜め上段の瓦及び一の瓦に隣接する瓦を示す平面図である。
【図６】同実施例に係る屋根用桟瓦の葺設時の一の瓦と斜め上段の他の瓦との係合部を示す部分断面図である。
【符号の説明】
【００２０】
１０…屋根用桟瓦、１１…瓦本体、桟部…１２、差込部…１３、差込部側水返し…１３ａ、尻部…１４、尻部側水返し…１４ａ、頭部…１５、桟側切欠部…１６、差込側切欠部…１７、上側受け片…２４、下側受け片…２５、受け口…２６、差込片…３２。
【図１】
2007154601.tif 000003
【図２】
2007154601.tif 000004
【図３】
2007154601.tif 000005
【図４】
2007154601.tif 000006
【図５】
2007154601.tif 000007
【図６】
2007154601.tif 000008